(57)【特許請求の範囲】
【請求項１】
ワイヤレス通信のためのアクセス端末において、
第１のアクセスポイントに関係している識別子を受信し、
前記識別子から前記第１のアクセスポイントのＩＰアドレスを決定し、
前記ＩＰアドレスを使用して、第２のアクセスポイントを通して前記第１のアクセスポイントとデータを通信するように構成されている処理システムを具備し、
前記データは、前記第１のアクセスポイントのエアリンクリソースを管理することに関連し、前記エアリンクリソースを管理することに関連しているデータの通信は、前記エアリンクリソースの一部分における干渉送信を制限するための要求を、前記アクセス端末から前記第１のアクセスポイントに送ることを含むアクセス端末。
【請求項２】
前記エアリンクリソースを管理することに関連しているデータは、前記アクセス端末を識別する情報を含む請求項１記載のアクセス端末。
【請求項３】
前記処理システムは、アクティブリストを維持するようにさらに構成され、前記エアリンクリソースを管理することに関連しているデータは、前記第１のアクセスポイントを前記アクティブリストに加えることに関連しているデータを含む請求項１記載のアクセス端末。
【請求項４】
前記第１のアクセスポイントを前記アクティブリストに加えることに関連しているデータは、前記第１のアクセスポイントにおけるエアリンクリソースを予約するようにシグナリングすることを含む請求項３記載のアクセス端末。
【請求項５】
前記エアリンクリソースを管理することに関連しているデータは、前記第２のアクセスポイントから前記第１のアクセスポイントへのハンドオフをサポートするデータを含む請求項１記載のアクセス端末。
【請求項６】
前記ハンドオフをサポートするデータは、ハンドオフ要求、セッション状態情報、または安全情報を含む請求項５記載のアクセス端末。
【請求項７】
前記識別子は前記ＩＰアドレスを含む請求項１記載のアクセス端末。
【請求項８】
前記処理システムは、前記識別子を使用してサーバに問い合わせることにより、前記ＩＰアドレスを決定するようにさらに構成されている請求項１記載のアクセス端末。
【請求項９】
前記処理システムは、前記識別子を前記ＩＰアドレスに変換するように構成されているメモリをさらに備える請求項１記載のアクセス端末。
【請求項１０】
前記処理システムは、制御チャネルを通して前記第１のアクセスポイントから前記識別子を受信するようにさらに構成されている請求項１記載のアクセス端末。
【請求項１１】
前記処理システムは、前記第１のアクセスポイントを含む利用可能なアクセスポイントのアクティブリストを維持するようにさらに構成されている請求項１記載のアクセス端末。
【請求項１２】
ワイヤレス通信の方法において、
アクセス端末において、第１のアクセスポイントに関係している識別子を受信することと、
前記アクセス端末において、前記識別子から前記第１のアクセスポイントのＩＰアドレスを決定することと、
前記アクセス端末により前記ＩＰアドレスを使用して、第２のアクセスポイントを通して前記第１のアクセスポイントとデータを通信することとを含み、
前記データは、前記第１のアクセスポイントのエアリンクリソースを管理することに関連し、前記エアリンクリソースを管理することに関連しているデータの通信は、前記エアリンクリソースの一部分における干渉送信を制限するための要求を、前記アクセス端末から前記第１のアクセスポイントに送ることを含む方法。
【請求項１３】
前記エアリンクリソースを管理することに関連しているデータは、前記アクセス端末の識別情報を含む請求項１２記載の方法。
【請求項１４】
アクティブリストを維持することをさらに含み、前記エアリンクリソースを管理することに関連しているデータは、前記第１のアクセスポイントを前記アクティブリストに加えることに関連しているデータを含む請求項１２記載の方法。
【請求項１５】
前記第１のアクセスポイントを前記アクティブリストに加えることに関連しているデータは、前記第１のアクセスポイントにおけるエアリンクリソースを予約するようにシグナリングすることを含む請求項１４記載の方法。
【請求項１６】
前記エアリンクリソースを管理することに関連しているデータは、前記第２のアクセスポイントから前記第１のアクセスポイントへのハンドオフをサポートするデータを含む請求項１２記載の方法。
【請求項１７】
前記ハンドオフをサポートするデータは、ハンドオフ要求、セッション状態情報、または安全情報を含む請求項１６記載の方法。
【請求項１８】
前記識別子は前記ＩＰアドレスを含む請求項１２記載の方法。
【請求項１９】
前記ＩＰアドレスの決定は、前記識別子を使用してサーバに問い合わせることを含む請求項１２記載の方法。
【請求項２０】
前記識別子を前記ＩＰアドレスに変換することをさらに含む請求項１２記載の方法。
【請求項２１】
制御チャネルを通して前記第１のアクセスポイントから前記識別子を受信することをさらに含む請求項１２記載の方法。
【請求項２２】
前記第１のアクセスポイントを含む利用可能なアクセスポイントのアクティブリストを維持することをさらに含む請求項１２記載の方法。
【請求項２３】
ワイヤレス通信のためのアクセス端末において、
第１のアクセスポイントに関係している識別子を受信する手段と、
前記識別子から前記第１のアクセスポイントのＩＰアドレスを決定する手段と、
前記ＩＰアドレスを使用して、第２のアクセスポイントを通して前記第１のアクセスポイントとデータを通信する手段とを具備し、
前記データは、前記第１のアクセスポイントのエアリンクリソースを管理することに関連し、前記エアリンクリソースを管理することに関連しているデータの通信は、前記エアリンクリソースの一部分における干渉送信を制限するための要求を、前記アクセス端末から前記第１のアクセスポイントに送ることを含むアクセス端末。
【請求項２４】
前記エアリンクリソースを管理することに関連しているデータは、前記アクセス端末を識別する情報を含む請求項２３記載のアクセス端末。
【請求項２５】
アクティブリストを維持する手段をさらに具備し、前記エアリンクリソースを管理することに関連しているデータは、前記第１のアクセスポイントを前記アクティブリストに加えることに関連しているデータを含む請求項２３記載のアクセス端末。
【請求項２６】
前記第１のアクセスポイントを前記アクティブリストに加えることに関連しているデータは、前記第１のアクセスポイントにおけるエアリンクリソースを予約するようにシグナリングすることを含む請求項２５記載のアクセス端末。
【請求項２７】
前記エアリンクリソースを管理することに関連しているデータは、前記第２のアクセスポイントから前記第１のアクセスポイントへのハンドオフをサポートするデータを含む請求項２３記載のアクセス端末。
【請求項２８】
前記ハンドオフをサポートするデータは、ハンドオフ要求、セッション状態情報、または安全情報を含む請求項２７記載のアクセス端末。
【請求項２９】
前記識別子は前記ＩＰアドレスを含む請求項２３記載のアクセス端末。
【請求項３０】
前記ＩＰアドレスを決定する手段は、前記識別子を使用してサーバに問い合わせる手段を備える請求項２３記載のアクセス端末。
【請求項３１】
前記識別子を前記ＩＰアドレスに変換する手段をさらに具備する請求項２３記載のアクセス端末。
【請求項３２】
制御チャネルを通して前記第１のアクセスポイントから前記識別子を受信する手段をさらに具備する請求項２３記載のアクセス端末。
【請求項３３】
前記第１のアクセスポイントを含む利用可能なアクセスポイントのアクティブリストを維持する手段をさらに具備する請求項２３記載のアクセス端末。
【請求項３４】
通信のための機械読取可能記憶媒体において、
アクセス端末において、第１のアクセスポイントに関係している識別子を受信し、
前記アクセス端末において、前記識別子から前記第１のアクセスポイントのＩＰアドレスを決定し、
前記アクセス端末により前記ＩＰアドレスを使用して、第２のアクセスポイントを通して前記第１のアクセスポイントとデータを通信するための、処理システムにより実行可能な命令を含み、
前記データは、前記第１のアクセスポイントのエアリンクリソースを管理することに関連し、前記エアリンクリソースを管理することに関連しているデータの通信は、前記エアリンクリソースの一部分における干渉送信を制限するための要求を、前記アクセス端末から前記第１のアクセスポイントに送ることを含む機械読取可能記憶媒体。
【請求項３５】
ワイヤレス通信のためのアクセス端末において、
第１のアクセスポイントに関係している識別子を受信し、
前記識別子から前記第１のアクセスポイントのＩＰアドレスを決定し、
前記ＩＰアドレスを使用して、第２のアクセスポイントを通して前記第１のアクセスポイントとデータを通信するように構成されている処理システムと、
前記処理システムによりサポートされているユーザインターフェースとを具備し、
前記データは、前記第１のアクセスポイントのエアリンクリソースを管理することに関連し、前記エアリンクリソースを管理することに関連しているデータの通信は、前記エアリンクリソースの一部分における干渉送信を制限するための要求を、前記アクセス端末から前記第１のアクセスポイントに送ることを含むアクセス端末。
【発明の詳細な説明】
【分野】
【０００１】
本開示は、電気通信に一般的に関連しており、さらに詳細には、インターネットプロトコル（ＩＰ）アドレスを使用して、ワイヤレスネットワーク中の通信をサポートするためのシステムおよび方法に関連している。
【背景】
【０００２】
ワイヤレスネットワークは、例えば、都市、大都市エリア、州、郡、または、ときに国家全体である、地理的に広いエリアにわたるワイヤレスカバッレッジを提供するために使用されることが多い。このようなネットワークはときに、ワイヤレスワイドエリアネットワーク（ＷＷＡＮ）として言及されることがある。最近では、ワイヤレスローカルエリアネットワーク（ＷＬＡＮ）として知られている、より小さいワイヤレスネットワークが、数十メートルから数百メートルの範囲の地理的カバレッジを有する、より小さいエリアをカバーするために発達してきている。これらのワイドエリアネットワークおよびローカルエリアネットワークは、ワイヤレスノードの集合で一般的に組み立てられている。ワイヤレスノードは、協働して、インターネットのような大きなネットワークインフラストラクチャへのアクセスをユーザに提供する。ユーザがワイヤレスネットワークを通してローミングする際、シームレスな移動性を達成するために、１つのワイヤレスノードから別のワイヤレスノードにワイヤレスデバイスをハンドオフするための効率的な方法が用いられなければならない。これらの方法は、ハンドオフとハンドオフとの間の遅延を最小化するとともに、このようなハンドオフの失敗率を減少させるように、実現しなければならない。
【０００３】
加えて、１つのワイヤレスノードと通信中のユーザは、干渉を減少させるために、別のワイヤレスノードにシグナリングする必要があるかもしれない。これらの方法は、性能を最適化するために効率的な方法で実現しなければならない。
【概要】
【０００４】
本開示の１つの側面では、ワイヤレス通信のための装置は、第１のノードに関係している識別子を受信し、識別子から第１のノードのＩＰアドレスを決定し、ＩＰアドレスを使用して、第２のノードを通して第１のノードとデータを通信するように構成されている処理システムを具備し、データは、第１のノードのエアリンクリソースを管理することに関連している。
【０００５】
本開示の別の側面では、ワイヤレス通信の方法は、第１のノードに関係している識別子を受信することと、識別子から第１のノードのＩＰアドレスを決定することと、ＩＰアドレスを使用して、第２のノードを通して第１のノードとデータを通信することとを含み、
データは、第１のノードのエアリンクリソースを管理することに関連している。
【０００６】
本開示のさらに別の側面では、ワイヤレス通信のための装置は、第１のノードに関係している識別子を受信する手段と、識別子から第１のノードのＩＰアドレスを決定する手段と、ＩＰアドレスを使用して、第２のノードを通して第１のノードとデータを通信する手段とを具備し、データは、第１のノードのエアリンクリソースを管理することに関連している。
【０００７】
本開示のさらなる側面では、通信のためのコンピュータプログラムプロダクトは、第１のノードに関係している識別子を受信するための、処理システムにより実行可能な命令と、識別子から第１のノードのＩＰアドレスを決定するための、処理システムにより実行可能な命令と、ＩＰアドレスを使用して、第２のノードを通して第１のノードとデータを通信するための、処理システムにより実行可能な命令とを備える機械読取可能媒体を具備し、データは、第１のノードのエアリンクリソースを管理することに関連している。
【０００８】
本開示のさらに別の側面では、ワイヤレス通信のためのアクセス端末は、第１のノードに関係している識別子を受信し、識別子から第１のノードのＩＰアドレスを決定し、ＩＰアドレスを使用して、第２のノードを通して第１のノードとデータを通信するように構成されている処理システムと、処理システムによりサポートされているユーザインターフェースとを具備し、データは、第１のノードのエアリンクリソースを管理することに関連している。
【０００９】
実例として、本発明のさまざまな側面が示され、記述されている下記の詳細な説明から、当業者は、本発明の他の側面が容易に明らかになることを理解すべきである。認識されるように、本発明の範囲を逸脱することなく、本発明は他のさまざまな点の変更が可能である。それゆえ、図面および詳細な説明は、本質的に、例示的であるとして考えられるべきであり、制限的であると考えられるべきではない。
【図面の簡単な説明】
【００１０】
添付している図面中で、限定としてではなく、例として、通信システムのさまざまな側面が図示されている。
【図１】図１は、通信システムの例の概念的なダイヤグラムである。
【図２】図２は、ワイヤレスネットワーク中のハンドオフを始めるアクセス端末を示す、通信システムの例の概念的なダイヤグラムである。
【図３】図３は、ハンドオフのために、アクセス端末とターゲットアクセスポイントとの間でデータがどのように交換されるかを示す、通信システムの例の概念的なダイヤグラムである。
【図４】図４は、ワイヤレスネットワーク中のアクセス端末のハンドオフをサポートするためのサーバを有するワイヤレス通信システムの例の概念的なダイヤグラムである。
【図５】図５は、図１の通信システム中で使用するためのワイヤレスノードの概念的なブロックダイヤグラムである。
【図６】図６は、図５のワイヤレスノード中の処理システムの機能性の例を図示しているブロックダイヤグラムである。
【詳細な説明】
【００１１】
本開示のさまざまな側面を下記に説明している。ここでの教示は、幅広いさまざまな形態で具現化されてもよく、ここに開示されている特定の何らかの、構造、機能、または双方は、単に代表的なものに過ぎないことは明らかである。ここでの教示に基づいて、ここに開示されている側面は、他の何らかの側面とは無関係に実現されてもよく、これらの側面のうちの２つ以上のものはさまざまな方法で組み合わされてもよいことを当業者は正しく理解すべきである。例えば、ここに述べる任意の数の側面を使用して、装置が実現されてもよく、または、方法が実践されてもよい。加えて、ここに述べる１つ以上の側面に加えて、または、ここに述べる１つ以上の側面の代わりに、他の構造や、機能性や、構造および機能性を使用して、このような装置は実現されてもよく、または、このような方法が実践されてもよい。さらに、１つの側面は、特許請求の範囲のうちの少なくとも１つの要素を含んでいる。上記に挙げたものの例として、何らかの側面では、装置は、第１のノードに関係している識別子を受信し、識別子から第１のノードのＩＰアドレスを決定し、ＩＰアドレスを使用して、第２のノードを通して第１のノードとデータを通信するように構成されている処理システムを備えている。データは、第１のノードに対するエアリンクリソースを管理することに関連している。
【００１２】
図１は、ワイヤレス通信システム１００のいくつかのサンプル側面を図示している。システム１００は、一般的にノード１０２および１０４として指定されるいくつかのワイヤレスノードを備えている。所定のノードは、１つ以上の通信チャネル（例えば、ここで、所定のチャネルは所定の搬送波に関係付けられていてもよい）を通して、１つ以上のトラフィックフロー（例えば、データフロー）を受信、および／または、送信してもよい。例えば、各ノードは、少なくとも１つのアンテナと、関係する受信機および送信機コンポーネントとを備えている。後に続く解説では、用語受信ノードは、受信しているノードを参照するために使用し、用語送信ノードは、送信しているノードを参照するために使用する。このような参照は、ノードが送信動作および受信動作の双方を実行することが不可能であることを意味してはいない。
【００１３】
ノードは、さまざまな方法で実現されてもよい。例えば、あるインプリメンテーションでは、ノードは、アクセス端末や、アクセスポイントや、中継ポイントや、または、他の何らかのネットワーク関連コンポーネントを構成していてもよい。図１を参照すると、ノード１０２はアクセスポイントまたは中継ポイントを構成していてもよく、ノード１０４はアクセス端末を構成していてもよい。ノード１０２は、したがって、ネットワーク（例えば、Ｗｉ−Ｆｉネットワーク、セルラネットワーク、またはＷｉＭａｘネットワーク）の他のノード間の通信を容易にしてもよい。例えば、アクセス端末（例えば、アクセス端末１０４Ａ）が、アクセスポイント（例えば、アクセスポイント１０２Ａ）または中継ポイントのカバレッジエリア内にあるとき、それによって、アクセス端末１０４Ａは、システム１００の別のデバイス、または、システム１００と通信するように結合されている他の何らかのネットワークの別のデバイスと通信してもよい。ここで、１つ以上のノード（例えば、ノード１０２Ｂ）は、別の１つのネットワークまたは複数のネットワーク（例えば、インターネットのようなワイドエリアネットワーク１０８）に対する接続性を提供するワイヤードアクセスポイントを構成していてもよい。
【００１４】
ある側面では、システム１００の２つ以上のノード（例えば、共通独立サービスセットのノード）は、１つ以上の通信リンクを通してノード間のトラフィックフローを確立するために、互いに関係している。例えば、アクセス端末１０４Ｂおよびアクセスポイント１０２Ｃは、１つ以上のトラフィックフローが２つの間に確立されるように互いに関係している。
【００１５】
動作において、ノード（例えば、アクセス端末１０４Ａ）は、システム１００からのビーコンを定期的にサーチするように構成されていてもよい。ビーコンは、各ノード１０２により送信され、別のノードによる捕捉のために使用される参照信号である。この例では、アクセス端末１０４Ａがシステム１００の付近に初めて移動するとき、アクセス端末１０４Ａは、１つ以上のノード１０２からのビーコンの検出を開始する。ビーコンの信号強度のようなさまざまなパラメータに基づいて、アクセス端末１０４Ａは、技術的によく知られている手段により無線リンクを確立するノード１０２を選択してもよい。このノードは、アクセス端末１０４Ａのための、システム１００へのアクセスポイントになり、これはノード１０２Ａとして図１中に示されている。
【００１６】
いったんアクセス端末１０４がノード（例えば、アクセスポイント１０２Ａ）との無線リンクを確立すると、アクセス端末１０４は、その後、アクセスポイント１０２Ａか、または、システム１００に関係している他の何らかエンティティのどちらかとのセッションを確立するように試みる。この例では、アクセス端末１０４と、アクセスポイント１０２Ａまたはその他のエンティティとが、アプリケーションレベルの通信の交換が可能であるとき、セッションが確立される。アクセス端末１０４Ａと、アクセスポイント１０２Ａまたは他のエンティティとにより、おそらく異なるノード１０２を通る異なるフローに対する通信を、適切に組み合わせて処理できるようにするメカニズムをセッションは提供する。セッションは、技術的によく知られているある手順により確立されてもよい。例として、アクセスポイント１０２Ａは、（示していない）中央データベースにアクセスすることにより、アクセス端末１０４Ａへの認証、許可、および課金を行う。中央データベースは、システム１００を使用することを許可されている各アクセス端末に対する情報を含んでいる。安全なセッションが要求されている場合、アクセスポイント１０２Ａとアクセス端末１０４との間で暗号化キーも交換されてもよい。加えて、帯域幅およびサービス品質（ＱｏＳ）のような、アクセス端末１０４Ａにより受信される、接続およびサービスの特性に影響する他のさまざまな属性が、交渉されてもよい。
【００１７】
いったんアクセス端末１０４がシステム１００に対するアクセスを取得すると、アクセス端末１０４は、他のノード１０２からのビーコンを聞き続けて、アクセス端末１０４が検出するビーコンの信号強度を測定してもよい。アクセス端末１０４は、アクティブリストを作成して、維持するために、これらの測定を使用してもよい。例として、アクティブリストは、アクセス端末１０４に対するサービスを提供できるノード１０２を含んでいてもよい。加えて、または、代替的に、サービスは提供しないが、アクセス端末に干渉するノード１０２（例えば、端末に対するアソシエーションおよびハンドオフが制限されているノード）をアクティブリストは含んでいてもよい。アクセス端末１０４が、他のノード１０８からのビーコンを聞き、ビーコンの信号強度を測定し続けるので、アクセス端末１０４は、システム１００を通してローミングするにつれて、アクティブリストにノード１０８を追加またはアクティブリストからノード１０８を除去してもよい。
【００１８】
ノード１０２をアクティブリストに追加するプロセスは、ノード１０２とアクセス端末１０４との間の通信およびシグナリングを含む。通信は、ハンドオフが要求される場合には、アクセス端末１０４に対する無線リソースを交渉して、予約するためのデータ交換を含んでもよい。ハンドオフが要求される前に、アクティブリスト中の各ノード１０２からの無線リソースを予約することにより、アクセス端末１０４は、アクセスポイント１０２Ａ、または、他のエンティティとのセッションを維持している間に、ノード１０２間を素早くスイッチすることが可能である。
【００１９】
１つのノード１０２から別のノード１０２へのハンドオフは、一般的に、システム１００を通して移動しているアクセス端末１０４Ａに応答して起こるが、現在アクセス端末１０４Ａを担当しているアクセスポイント１０２が、要求された帯域幅またはＱｏＳを提供できないことのような、他の条件もハンドオフを引き起こす。少なくとも、ハンドオフが要求されていることをいったんアクセス端末１０４Ａが決定すると、アクセス端末１０４はハンドオフを受信するノード１０２をアクティブリストから選択する。
【００２０】
図２は、ハンドオフを始めるアクセス端末の例の概念的なダイヤグラムである。現在アクセス端末１０４Ａを担当しているアクセスポイント１０２Ａは、“担当アクセスポイント”として言及され、アクセス端末１０４Ａのハンドオフを受信するノード１０２Ｃは、“ターゲットアクセスポイント”として言及される。この例では、アクセス端末１０４とターゲットアクセスポイント１０２Ｃとの間のある通信およびシグナリングがハンドオフよりも先行する。通信はデータの交換を含んでもよい。ここで、アクセス端末１０４Ａは、ハンドオフ要求をターゲットアクセスポイント１０２Ｃに送信し、ターゲットアクセスポイント１０２Ｃは、要求を認可することによりアクセス端末１０４Ａに応答する。アクセス端末１０４Ａはまた、セッション状態情報をターゲットアクセスポイント１０２Ｃに送信するか、ターゲットアクセスポイント１０２Ｃが他の何らかのエンティティからセッション状態情報を検索することを促してもよい。安全情報もターゲットアクセスポイント１０２Ｃに提供され、ターゲットアクセスポイント１０２Ｃが、（示していない）中央データベースによる認証、許可、および課金をできるようにする。
【００２１】
図３は、（１）ターゲットアクセスポイント１０２Ｃをアクティブリストに追加するために、または、（２）アクセス端末１０４Ａをターゲットアクセスポイント１０２Ｃにハンドオフするために、アクセス端末１０４Ａとターゲットアクセスポイント１０２Ｃとの間でデータがどのように交換されるかを示す例の概念的なダイヤグラムである。双方のケースでは、アクセス端末１０４Ａとターゲットポイント１０２Ｃとの間で交換されるデータは、ＩＰアドレスを使用して、担当アクセスポイント１０２Ａにより転送される。ＩＰアドレスを使用することにより、担当アクセスポイント１０２Ａは、データを処理する必要がなく、ＩＰパケットに対するルータとして機能するか、または、担当アクセスポイント１０２Ａに対する第１のホップルータにＩＰパケットを転送してもよい。
【００２２】
図３を参照すると、アクセス端末１０４Ａは、担当アクセスポイント１０２Ａを通して、一連のデータパケットでターゲットアクセスポイント１０２Ｃと通信する。各データパケットは宛先ＩＰアドレスおよびペイロードを含んでいる。ペイロードは、ターゲットアクセスポイント１０２Ｃに対するエアリンクリソースを管理することに関連するデータを含み、このデータは、例として、エアリンクリソースを予約するためのシグナリングや、ハンドオフ要求や、ハンドオフ要求に対する認可や、セッション情報や、安全情報や、または、他の何らかのシグナリングを含む。アクセス端末１０４Ａとターゲットアクセスポイント１０２Ｃとの間でペイロードを転送するために、各データパケット中のＩＰアドレスは、担当アクセスポイント１０２Ａにより要求されるルーティング情報を提供する。
【００２３】
アクセス端末１０４Ａは、いくつかの方法で、ターゲットアクセスポイント１０２Ｃに対するＩＰアドレスを取得してもよい。例として、ターゲットアクセスポイント１０２Ｃとともにシステム１００中の他のすべてのノード１０２は、制御チャネルを介して、連続的にまたは定期的に、そのＩＰアドレスをブロードキャストしてもよい。この例では、アクセス端末１０４Ａは、ターゲットアクセスポイントのＩＰアドレスに対する制御チャネルを単に監視するに過ぎない。
【００２４】
代わりに、ターゲットアクセスポイント１０２Ｃとともにシステム１００中の他のノード１０２は、制御チャネルを介して、識別子をブロードキャストしてもよい。これは、ＩＰアドレスをブロードキャストすることに対する魅力的な代替である。これは、さらなる帯域幅を要求するかもしれない。この例では、アクセス端末１０４Ａは、ターゲットアクセスポイントの識別子に対する制御チャネルを監視する。識別子を受信すると、アクセス端末１０４Ａは、識別子をターゲットアクセスポイント１０２Ｃに対するＩＰアドレスに解明する。これは、識別子によりサーバに問い合わせることにより達成されてもよい。図４を参照すると、サーバ１１０は、識別子をターゲットアクセスポイント１０２Ｃに対するＩＰアドレスに変換するために使用されてもよい。ＩＰアドレスは、ネットワーク１０８を通して、または、他の何らかの手段により、アクセス端末１０４Ａに配信されてもよい。
【００２５】
別の例として、アクセス端末１０４Ａは、識別子をターゲットアクセスポイント１０２Ｃに対するＩＰアドレスに変換するために、メモリ中のルックアップテーブルを使用してもよい。ルックアップテーブルは、アクセス端末１０４Ａがシステム１００に初めてアクセスするとき、システム１００からアクセス端末１０４Ａに、または、別のエンティティからアクセス端末１０４Ａに提供されてもよく、あるいは、ルックアップテーブルをアクセス端末１０４Ａ中に準備することができる。ＩＰアドレスはまた、１つ以上の上記の技術の組み合わせとして計算されてもよい。例として、ＩＰアドレスの一部分がブロードキャストされ、ＩＰアドレスの別の部分は、問い合わせ、ルックアップテーブルなどを使用して導き出されてもよい。
【００２６】
当業者が容易に認識するように、この方法におけるＩＰアドレスの使用は、担当アクセスポイントと通信中のアクセス端末がワイヤレスネットワーク中の１つ以上の他のノードと通信する必要がある、他のアプリケーションに拡張してもよい。例として、システム１００中のノード１０２からのワイヤレス送信は、システム１００中の関係していないノードにおける受信に干渉するかもしれない。図１に戻ると、ノード１０４Ｂは、ノード１０２Ｄが（シンボル１０６Ｂにより表されているように）ノード１０４Ｃに送信しているのと同時に、（ワイヤレス通信シンボル１０６Ａにより表されているように）ノード１０２Ｃから受信しているかもしれない。ノード１０４Ｂと１０２Ｄとの間の距離と、送信電力と、ノード１０２Ｄのタイミングとにしたがって、（破線シンボル１０６Ｃにより表されているように）ノード１０２Ｄからの送信は、ノード１０４Ｂにおける受信に干渉するかもしれない。この例では、ノード１０４Ｂは、ノード１０４Ｃに対する干渉送信を制限するために、ノード１０２Ｄに要求を送信してもよい。メッセージは、ノード１０２ＤのＩＰアドレスを使用して、ノード１０２Ｃを通して、ノード１０４Ｂによりノード１０２Ｄに送信されてもよい。ノード１０２Ｃは、パケットを転送するが、メッセージを処理する必要はない。メッセージを受信すると、ノード１０２Ｄは、送信をやめることを選ぶか、その送信電力を減少させるか、または、メッセージを無視してもよい。
【００２７】
図５は、ノードの機能性の例を図示しているブロックダイヤグラムである。ノード５０２は、アクセス端末や、アクセスポイントや、中継ポイントや、または、他の何らかのネットワーク関連コンポーネントとして機能してもよい。
【００２８】
ノード５０２の下記の説明は、本質的に情報を与えるものであり、各ブロックの機能性を大まかに規定している。ここで開示したさまざまなコンセプトに直接関係のある機能性のみを説明する。これらの機能ブロックはここに説明していない他の機能性を提供できることを当業者は正しく認識するだろう。この例では、ノード５０２は３つの機能ブロック：ワイヤレスインターフェース５０４、処理システム５０６、および、ユーザインターフェース５０８を含む。
【００２９】
ワイヤレスインターフェース５０４は、送信機能および受信機能の双方を提供するトランシーバとして構成されていてもよい。送信機能は、データで搬送波を変調することを含む。受信機能は、搬送波を復調してデータを回復することを含む。ワイヤレスインターフェース５０４はまた、ＲＦフロントエンド処理や、アナログ／デジタル変換や、タイミングおよび周波数推定や、チャネル推定や、ターボコーディングなどのような、他のさまざまな機能を提供してもよい。概要として、ワイヤレスインターフェース５０４は、ノード５０２の完全な物理レイヤインプリメンテーションを提供するように構成されていてもよい。
【００３０】
処理システム５０６は、単体で、または、ノード５０２中の他のエンティティとの組み合わせで、物理レイヤより上のすべての機能性を実現するように構成されていてもよい。代わりに、処理システム５０６はまた、物理レイヤのすべて、または、物理レイヤの一部を実現してもよい。最も一般的な言い方では、処理システム５０６は、ワイヤレスインターフェース５０４の送信機能および受信機能を使用して通信をサポートするように構成されている。加えて、処理システム５０６は、データを送信および受信するために、ＩＰアドレスを使用してさまざまなハンドオフ手順をサポートする。
【００３１】
処理システム５０６は１つ以上のプロセッサを備えていてもよい。プロセッサは、汎用マイクロプロセッサ、マイクロ制御装置、デジタル信号プロセッサ（ＤＳＰ）、特定用途向け集積回路（ＡＳＩＣ）、現場プログラム可能ゲートアレイ（ＦＰＧＡ）、プログラム可能論理デバイス（ＰＬＤ）、論理回路、ディスクリートハードウェアコンポーネント、あるいは、情報の計算またはその他の操作を実行できる他の何らかの適したエンティティであってもよい。
【００３２】
識別子をアクセス端末アプリケーションに対するＩＰアドレスに変換するルックアップテーブルを含むデータ記憶装置を提供するために、および／または、ソフトウェアアプリケーションをサポートするために、処理システム５０６はまた１つ以上の機械読取可能媒体を備えていてもよい。ソフトウェアは、ソフトウェアや、ファームウェアや、ミドルウェアや、マイクロコードや、ハードウェア記述言語や、その他のものとして言及されるか否かにかかわらず、命令、プログラム、コード、または他の何らかの電子媒体コンテンツを意味するように広く解釈すべきである。機械読取可能媒体は、ＡＳＩＣを有するようなケースでは、プロセッサと一体化した記憶装置を備えていてもよい。機械読取可能媒体はまた、ランダムアクセスメモリ（ＲＡＭ）、フラッシュメモリ、リードオンリーメモリ（ＲＯＭ）、プログラム可能リードオンリーメモリ（ＰＲＯＭ）、消去可能ＰＲＯＭ（ＥＰＲＯＭ）、レジスタ、ハードディスク、リムーバルディスク、ＣＤ−ＲＯＭ、ＤＶＤ、または他の何らかの適した記憶デバイスのような、プロセッサに対して外部の記憶装置を含んでいてもよい。加えて、機械読取可能媒体は、データ信号をエンコードする送信ラインまたは搬送波形を含んでいてもよい。処理システムに対する説明した機能性をどのように実行することが最善であるかを当事者は正しく認識するだろう。
【００３３】
ノード５０２はまた、アクセス端末として機能しているとき、ユーザインターフェース５０８を備えていてもよい。ユーザインターフェース５０８は、ディスプレイ、キーパット、スピーカー、マイクロフォン、および／または、ユーザがアクセス端末を動作できるようにする他の何らかの適したインターフェースを含んでいてもよい。ユーザインターフェース５０８は、無線リンクを通して、ワイヤレスインターフェースおよび処理システム５０６により送信および受信されるデータを、制御するために使用される。
【００３４】
ノード５０２はまた、ワイヤレスネットワーク中のノードとして機能しているとき、アクセス端末および／またはワイヤレスノードとの任意の適した数のワイヤレスダウンリンク接続を維持することが可能であるとともに、バックホールをサポートするために、１つ以上のアップリンク接続を維持することが可能であるワイヤレスインターフェース５０４を含んでいてもよい。アップリンク接続は、ワイヤードまたはワイヤレスであってもよい。
【００３５】
図６は、処理システム５０６の機能性の例を図示しているブロックダイヤグラムである。この例では、処理システム５０６は、第１のノードに関係している識別子を受信するモジュール６０２と、識別子から第１のノードのＩＰアドレスを決定するモジュール６０４と、ＩＰアドレスを使用して、第２のノードを通して、データを第１のノードと通信するモジュール６０６とを備えている。ここで、データは第１のノードに対するエアリンクリソースを管理することに関連している。
【００３６】
先の説明は、ここで記述したさまざまな側面を当業者が実施できるように提供されている。これらの側面に対するさまざまな改良は、当業者に容易に明らかになるであろう。また、ここで規定されている一般的な原理は、他の側面に適用されてもよい。したがって、特許請求の範囲はここに示された側面に限定されることを意図しているものではなく、言語的な特許請求の範囲と矛盾しない全範囲に一致させるべきである。要素への単数での参照は、単数であると明示的に述べられていない限り、「１つおよび１つのみ」を意味することを意図しているのではなく、むしろ「１つ以上の」を意味することを意図している。そうではないと明確に述べられていない限り、用語「いくつかの」は１つ以上のものに言及している。当業者に知られ、または後に知られることになる、本開示全体に記述されているさまざまな側面の要素のすべての構成的および機能的な均等物は、ここで参照により明確に組み込まれ、特許請求の範囲に含まれることを意図している。さらに、ここで開示したものが、このような開示が特許請求の範囲中に明示的に列挙されているか否かにかかわらず、公共に捧げられることを意図していない。請求項のどの要素も、要素が「ミーンズフォー」というフレーズを用いて明示的に列挙されない限り、または方法の請求項のケースでは、要素が「ステップフォー」というフレーズを用いて列挙されない限り、３５Ｕ．Ｓ．Ｃ．１１２条第６パラグラフの規定のもとで解釈されるべきではない。
以下に、本願出願時の特許請求の範囲に記載された発明を付記する。
〔１〕ワイヤレス通信のための装置において、
第１のノードに関係している識別子を受信し、前記識別子から前記第１のノードのＩＰアドレスを決定し、前記ＩＰアドレスを使用して、第２のノードを通して前記第１のノードとデータを通信するように構成されている処理システムを具備し、
前記データは、前記第１のノードのエアリンクリソースを管理することに関連している装置。
〔２〕前記エアリンクリソースを管理することに関連しているデータは、前記装置を識別する情報を含む上記〔１〕記載の装置。
〔３〕前記処理システムは、アクティブリストを維持するようにさらに構成され、前記エアリンクリソースを管理することに関連しているデータは、前記第１のノードを前記アクティブリストに加えることに関連しているデータを含む上記〔１〕記載の装置。
〔４〕前記第１のノードを前記アクティブリストに加えることに関連しているデータは、前記第１のノードにおけるエアリンクリソースを予約するようにシグナリングすることを含む上記〔３〕記載の装置。
〔５〕前記エアリンクリソースを管理することに関連しているデータは、前記第２のノードから前記第１のノードへのハンドオフをサポートするデータを含む上記〔１〕記載の装置。
〔６〕前記ハンドオフをサポートするデータは、ハンドオフ要求、セッション状態情報、または安全情報を含む上記〔４〕記載の装置。
〔７〕前記エアリンクリソースを管理することに関連しているデータは、前記エアリンクリソースの一部分における干渉送信を制限するための前記第１のノードに対する要求を含む上記〔１〕記載の装置。
〔８〕前記識別子は前記ＩＰアドレスを含む上記〔１〕記載の装置。
〔９〕前記処理システムは、前記識別子を使用してサーバに問い合わせることにより、前記ＩＰアドレスを決定するようにさらに構成されている上記〔１〕記載の装置。
〔１０〕前記処理システムは、前記識別子を前記ＩＰアドレスに変換するように構成されているメモリをさらに備える上記〔１〕記載の装置。
〔１１〕前記処理システムは、制御チャネルを通して第１のノードから前記識別子を受信するようにさらに構成されている上記〔１〕記載の装置。
〔１２〕前記処理システムは、前記第１のノードを含む利用可能なノードのアクティブリストを維持するようにさらに構成されている上記〔１〕記載の装置。
〔１３〕ワイヤレス通信の方法において、
第１のノードに関係している識別子を受信することと、
前記識別子から前記第１のノードのＩＰアドレスを決定することと、
前記ＩＰアドレスを使用して、第２のノードを通して前記第１のノードとデータを通信することとを含み、
前記データは、前記第１のノードのエアリンクリソースを管理することに関連している方法。
〔１４〕前記エアリンクリソースを管理することに関連しているデータは、識別情報を含む上記〔１３〕記載の方法。
〔１５〕アクティブリストを管理することをさらに含み、前記エアリンクリソースを管理することに関連しているデータは、前記第１のノードを前記アクティブリストに加えることに関連しているデータを含む上記〔１３〕記載の方法。
〔１６〕前記第１のノードを前記アクティブリストに加えることに関連しているデータは、前記第１のノードにおけるエアリンクリソースを予約するようにシグナリングすることを含む上記〔１５〕記載の方法。
〔１７〕前記エアリンクリソースを管理することに関連しているデータは、前記第２のノードから前記第１のノードへのハンドオフをサポートするデータを含む上記〔１３〕記載の方法。
〔１８〕前記ハンドオフをサポートするデータは、ハンドオフ要求、セッション状態情報、または安全情報を含む上記〔１７〕記載の方法。
〔１９〕前記エアリンクリソースを管理することに関連しているデータは、前記エアリンクリソースの一部分における干渉送信を制限するための前記第１のノードに対する要求を含む上記〔１３〕記載の方法。
〔２０〕前記識別子は前記ＩＰアドレスを含む上記〔１３〕記載の方法。
〔２１〕前記ＩＰアドレスの決定は、前記識別子を使用してサーバに問い合わせることを含む上記〔１３〕記載の方法。
〔２２〕前記識別子を前記ＩＰアドレスに変換することをさらに含む上記〔１３〕記載の方法。
〔２３〕制御チャネルを通して第１のノードから前記識別子を受信することをさらに含む上記〔１３〕記載の方法。
〔２４〕前記第１のノードを含む利用可能なノードのアクティブリストを維持することをさらに含む上記〔１３〕記載の方法。
〔２５〕ワイヤレス通信のための装置において、
第１のノードに関係している識別子を受信する手段と、
前記識別子から前記第１のノードのＩＰアドレスを決定する手段と、
前記ＩＰアドレスを使用して、第２のノードを通して前記第１のノードとデータを通信する手段とを具備し、
前記データは、前記第１のノードのエアリンクリソースを管理することに関連している装置。
〔２６〕前記エアリンクリソースを管理することに関連しているデータは、前記装置を識別する情報を含む上記〔２５〕記載の装置。
〔２７〕アクティブリストを維持する手段をさらに具備し、前記エアリンクリソースを管理することに関連しているデータは、前記第１のノードを前記アクティブリストに加えることに関連しているデータを含む上記〔２５〕記載の装置。
〔２８〕前記第１のノードを前記アクティブリストに加えることに関連しているデータは、前記第１のノードにおけるエアリンクリソースを予約するようにシグナリングすることを含む上記〔２７〕記載の装置。
〔２９〕前記エアリンクリソースを管理することに関連しているデータは、前記第２のノードから前記第１のノードへのハンドオフをサポートするデータを含む上記〔２５〕記載の装置。
〔３０〕前記ハンドオフをサポートするデータは、ハンドオフ要求、セッション状態情報、または安全情報を含む上記〔２９〕記載の装置。
〔３１〕前記エアリンクリソースを管理することに関連しているデータは、前記エアリンクリソースの一部分における干渉送信を制限するための前記第１のノードに対する要求を含む上記〔２５〕記載の装置。
〔３２〕前記識別子は前記ＩＰアドレスを含む上記〔２５〕記載の装置。
〔３３〕前記ＩＰアドレスを決定する手段は、前記識別子を使用してサーバに問い合わせる手段を備える上記〔２５〕記載の装置。
〔３４〕前記識別子を前記ＩＰアドレスに変換する手段さらに具備する上記〔２５〕記載の装置。
〔３５〕制御チャネルを通して第１のノードから前記識別子を受信する手段さらに具備する上記〔２５〕記載の装置。
〔３６〕前記第１のノードを含む利用可能なノードのアクティブリストを維持する手段をさらに具備する上記〔２５〕記載の装置。
〔３７〕通信のためのコンピュータプログラムプロダクトにおいて、
第１のノードに関係している識別子を受信するための、処理システムにより実行可能な命令と、
前記識別子から前記第１のノードのＩＰアドレスを決定するための、処理システムにより実行可能な命令と、
前記ＩＰアドレスを使用して、第２のノードを通して前記第１のノードとデータを通信するための、処理システムにより実行可能な命令とを備える機械読取可能媒体を具備し、
前記データは、前記第１のノードのエアリンクリソースを管理することに関連しているコンピュータプログラムプロダクト。
〔３８〕ワイヤレス通信のためのアクセス端末において、
第１のノードに関係している識別子を受信し、前記識別子から前記第１のノードのＩＰアドレスを決定し、前記ＩＰアドレスを使用して、第２のノードを通して前記第１のノードとデータを通信するように構成されている処理システムと、
前記処理システムによりサポートされているユーザインターフェースとを具備し、
前記データは、前記第１のノードのエアリンクリソースを管理することに関連しているアクセス端末。
【図１】
0005479376.tif 000002
【図２】
0005479376.tif 000003
【図３】
0005479376.tif 000004
【図４】
0005479376.tif 000005
【図５】
0005479376.tif 000006
【図６】
0005479376.tif 000007